(57)【特許請求の範囲】
【請求項１】
テンプルを折り畳んだ眼鏡の長手方向から収納する携帯用眼鏡ケースであって、
柔軟な素材で形成され、前記眼鏡を収納する収納手段と、
前記収納手段の長手方向の一端に設けられた開閉手段と、
前記収納手段に固設され、前記開閉手段の上側から前記眼鏡を取り出し及び収納可能とする方向で掛止する掛止手段と、を有し、
前記開閉手段は、前記収納手段の側面の一部を切欠き状に開放可能とする折返しの舌片を形成し、折り返された舌片の先端部と当該折り返された先端部に対向する前記側面とを係止する係止手段を設け、
前記掛止手段は、ポケット状の収容体の挿入口周縁を前記収納手段が前記収容体の外側に配されるように挟持し、前記眼鏡を収納した収納手段が掛止されている前記収容体が、前記外側方向に傾倒揺動しても、前記眼鏡を収納した収納手段の自重による前記収容体面からの揺動離間を抑止する保持力を備えたことを特徴とする携帯用眼鏡ケース。
【請求項２】
前記掛止手段は、帯材又は線材を前記収納手段に収納された眼鏡の前記開閉手段側ヒンジ位置よりも下方の位置であって、ブリッジの位置よりも上方の位置から前記収納手段の側面に沿って前記開閉手段方向に固着し、所定の位置で、前記収納手段の側面に対して外方向に折返し、全体で逆Ｕ字形状を成す付勢手段を備え、該付勢手段は、前記揺動離間する力に抗して前記収納手段を支持する剛性を有することを特徴とする請求項１に記載の携帯用眼鏡ケース。
【請求項３】
前記掛止手段は、前記帯材又は線材が被磁着性を有するものとし、前記外方向に折り返した逆Ｕ字形状を成す付勢手段の先端部に対向する前記収納手段の側面にマグネットシートを装着させたことを特徴とする請求項２に記載の携帯用眼鏡ケース。
【請求項４】
前記掛止手段を形成する帯材又は線材の前記固着された部分は、前記収納手段を形成する柔軟な素材によって被包されていることを特徴とする請求項１から請求項３までのいずれか１項に記載の携帯用眼鏡ケース。
【請求項５】
前記掛止手段は、前記折り返した部分が、前記収容体の挿入口周縁部の厚み方向で挟持する間隔を有し、前記逆Ｕ字形状の開放端方向に向かって前記収納手段の側面方向に傾斜して成ることを特徴とする請求項２から請求項４までのいずれか１項に記載の携帯用眼鏡ケース。
【発明の詳細な説明】
【技術分野】
【０００１】
本発明は、テンプルを折り畳んだ眼鏡の長手方向から収納する携帯用眼鏡ケースに関するものである。
【背景技術】
【０００２】
眼鏡を収納するケースは、大別すると、硬質の合成樹脂等から形成されたハードケースと、布製などの袋状のソフトケースの２つのタイプがある。前記ハードケースは、外部からの衝撃に強く、保護性が高いが、嵩張るため、携帯性に欠けるという欠点があった。一方、ソフトケースは、外部からの衝撃には弱いが眼鏡の収納時における厚みが、眼鏡のテンプルを折り畳んだ状態での厚さとほぼ変わらないため、携帯性に優れており、特に、移動時などに一時的に眼鏡を収納する場合には有用である。
【０００３】
従来、前記ソフトケースの携帯性に着目し、衣服のポケットなどに収納するための工夫がなされてきた。たとえば、掛止部材としてクリップ側とケース本体側に磁石を取り付け、ポケット等の生地を介在させて、クリップと本体を磁石で挟持するホルダが提案されていた（例えば、特許文献１参照。）。この場合、前記クリップ側の構造が、リングと可撓性部材で構成されていることから、ポケット等の生地の厚みの違いに対応することができるようになっていた。
【０００４】
また、弾力性ワイヤを折り曲げ、支点軸を２点設け、折り曲げた長さの方向にＵ字形状部を設け、かつ底辺に凸型の弓状部を設け、両端に端挟着部２つを設けた構造とするクリップを備えた眼鏡ケースが提案されていた（例えば、特許文献２参照。）。この場合、装着時の眼鏡ケース本体およびケース内の眼鏡による加重が、前記二か所の端挟着部に分散して保持されるため、洋服の内ポケットの歪み、型崩れを発生させずに眼鏡を収納することができた。
【先行技術文献】
【特許文献】
【０００５】
【特許文献１】特開昭４７−８１２５号公報
【特許文献２】登録実用新案第３１５５４５２号公報
【発明の概要】
【発明が解決しようとする課題】
【０００６】
ところで、バス、電車、飛行機など、比較的長時間乗物に乗車する場合、座席シートに着座したまま眼鏡の着脱が比較的高頻度で行われることが多い。上記のような乗物では、通常、シート近傍に眼鏡専用の収納場所が設置されていないため、眼鏡を外した場合は、衣服のポケットに収納するか、前方シートの背面やアームレストに設置された簡易テーブル上に載置するか、前方シートの背面に設けられたシートポケットに入れる等の動作が必要となった。また、これら動作において、多くの場合、眼鏡のレンズ面を保護するために、眼鏡ケースに収納することになるが、携帯性の特質から前記の通り、ハードケースよりも、ソフトケースが有用ではあるものの、着脱の都度、眼鏡ケースから出し入れする必要があり、動作が煩雑になるという不都合があった。
【０００７】
また、衣服に入れた場合、長時間の乗車で、衣服の着脱も頻繁に行われることから、衣服を網棚等に置いた場合は、眼鏡を取り出すために、再度衣服を網棚から降ろさなければならず、この場合も動作が煩雑になるという問題があった。
【０００８】
さらに、前記シートテーブル上に載置した場合、たとえば、窓側の乗客がトイレ等で手前を通過する都度、シートテーブルを畳まなければならず、この場合はさらに動作が煩雑になるという問題があった。
【０００９】
前記シートポケットに入れた場合、通常、シートポケットの深さは、眼鏡ケースより長尺であることから、ポケット内に入り込んでしまう結果、取出しの動作が煩雑になるほか、降車時に遺失する恐れもあった。
【００１０】
なお、眼鏡のテンプル両端付近にチェーンを取り付けることにより、全体を環状に形成し、眼鏡を外した場合は、チェーンが頸部にかかることで、眼鏡の着脱に関わらず、常時、眼鏡をウェアラブルに保持することができるものもあるが、この場合、眼鏡を外した状態では、テンプルが開いた状態のまま眼鏡が腹部近傍で懸吊状態となるため、前記シートテーブルにぶつかるなど、眼鏡の保護という観点から好ましい方法とは言い難い。
【００１１】
本発明は、上記課題を解消させるためのものであり、特に、長時間乗物に乗車する場合に、簡便に眼鏡の収納及び取り出しができるとともに、他の乗客の邪魔にならずに、収納可能な携帯用眼鏡ケースを提供することを目的とする。
【課題を解決するための手段】
【００１２】
上記目的を達成させるために、本発明にかかる携帯用眼鏡ケースは、テンプルを折り畳んだ眼鏡の長手方向から収納する携帯用眼鏡ケースであって、柔軟な素材で形成され、前記眼鏡を収納する収納手段と、前記収納手段の長手方向の一端に設けられた開閉手段と、前記収納手段に固設され、前記開閉手段の上側から前記眼鏡を取り出し及び収納可能とする方向で掛止する掛止手段と、を有し、前記開閉手段は、前記収納手段の側面の一部を切欠き状に開放可能とする折返しの舌片を形成し、折り返された舌片の先端部と当該折り返された先端部に対向する前記側面とを係止する係止手段を設け、前記掛止手段は、ポケット状の収容体の挿入口周縁を前記収納手段が前記収容体の外側に配されるように挟持し、前記眼鏡を収納した収納手段が掛止されている前記収容体が、前記外側方向に傾倒揺動しても、前記眼鏡を収納した収納手段の自重による前記収容体面からの揺動離間を抑止する保持力を備えたことを最も主要な特徴とする。
【００１３】
この構成によれば、眼鏡の収納手段が、シートポケット等の収容体の外側に露出した状態で掛止され、かつ、シートがリクライニングなどにより、傾倒揺動しても、リクライニングされたシートの背面の傾斜に追従する。
【００１４】
前記掛止手段は、たとえば、帯材又は線材を前記収納手段に収納された眼鏡の前記開閉手段側ヒンジ位置よりも下方の位置であって、ブリッジの位置よりも上方の位置から前記収納手段の側面に沿って前記開閉手段方向に固着し、所定の位置で、前記収納手段の側面に対して外方向に折返し、全体で逆Ｕ字形状を成す付勢手段を備え、該付勢手段は、前記揺動離間する力に抗して前記収納手段を支持する剛性を有するものでもよい。さらに、前記掛止手段は、前記帯材又は線材が被磁着性を有するものとし、前記外方向に折り返した逆Ｕ字形状を成す付勢手段の先端部に対向する前記収納手段の側面にマグネットシートを装着させたものであってもよい。すなわち、これらの構成により、前記保持力を実現することができる。
【００１５】
前記掛止手段を形成する帯材又は線材の前記固着された部分は、前記収納手段を形成する柔軟な素材によって被包されているものでもよい。この構成により、眼鏡が前記帯材や線材に直接接触することを回避することができる。
【００１６】
また、前記掛止手段は、前記折り返した部分が、前記収容体の挿入口周縁部の厚み方向で挟持する間隔を有し、前記逆Ｕ字形状の開放端方向に向かって前記収納手段の側面方向に傾斜して成るものであればよい。
【００１７】
なお、前記した通り、前記開閉手段を、前記収納手段の側面の一部を切欠き状に開放可能とする折返しの舌片を形成させ、折り返された舌片の先端部と当該先端部に対向する前記側面とを係止する係止手段を設けた構成により、携帯用メガネケースは、前記収容体に掛止した状態で開閉手段を開放状態に維持することができる。
【発明の効果】
【００１８】
本発明の携帯用眼鏡ケースは、乗物のシートポケットに、眼鏡を収納する部分を露出させて掛止することができ、かつ、当該シートポケットが設けられているシートがリクライニングで手前側に傾斜しても、前記眼鏡の収納部分が垂下に揺動せず、当該収納部分がリクライニングによる傾斜と同一角で傾斜するため、シートのリクライニングの状態如何に拘わらず、スムーズに眼鏡を収納又は取り出し可能になるとともに、自分のシートと前席のシートとの間での往来の邪魔にならないように、掛止することができるという効果を奏する。
【００１９】
また、前記掛止した状態で、前記開閉手段を開放状態で維持することができる形態では、眼鏡の収納及び取り出しがさらに容易になるという効果を奏する。
【００２０】
なお、掛止手段は、前記保持力に必要な範囲の尺で形成しているため、上記効果を奏しつつ、眼鏡のソフトケースのメリット、すなわち、携帯性を損なうこともない。
【図面の簡単な説明】
【００２１】
【図１】図１は、本発明に係る携帯用眼鏡ケースを例示的に示した斜視図である。
【図２】図２は、図１に係る携帯用眼鏡ケースの側面図である。
【図３】図３は、図１に係る携帯用眼鏡ケースの側面図であり、（ａ）は、開閉部を閉じた状態を示した図であり、（ｂ）は、開閉部を開いた状態を示した図である。
【図４】図４は、本発明に係る携帯用眼鏡ケースのばねクリップに磁石を付装したものを示した図である。
【図５】図５は、本発明に係る携帯用眼鏡ケースを乗物用シートに付設されたシートポケットに掛止した状態を示した図である。
【発明を実施するための形態】
【００２２】
図１乃至図３を参照して、１は、本発明に係る携帯用メガネケースである。携帯用眼鏡ケース１は、テンプルを折り畳んだ状態の眼鏡Ｇを長手方向に収納するようになっている。眼鏡Ｇの収納部１１は、上記折り畳んだ状態の眼鏡Ｇを長手方向に収納可能な有底の袋状に形成されているが、外形は、眼鏡Ｇが上記状態で収納可能であれば特に限定しない。また、収納部１１の素材も、柔軟な素材であればよく、たとえば、皮革、布、軟質プラスチック等が該当するが、これに限定するものではない。柔軟な素材で形成されることにより、四方からの外力に対して、外形の変形を許容し、硬質プラスチック等で形成された、いわゆるハードケースに比べて嵩張らず、携帯性に優れている。
【００２３】
収納部１１の長手方向の一端は、開閉部１２が形成されており、ここから眼鏡Ｇを出し入れする。開閉部１２の閉塞時には、携帯用眼鏡ケース１を逆さにしても、眼鏡Ｇが脱落しないように、閉塞状態を維持できる構造であればよい。本実施の形態では、２枚の素材片１１ａ、１１ｂをコの字状に縫着させることにより、全体扁平な収納部１１を形成するとともに、前記コの字状の開放端側を開閉部１２とし、対向する双方の開放端の縁辺と、一辺が同一尺の矩形の板状体１２ａ、１２ｂを前記収納部１１の素材片１１ａ、１１ｂと略面一になるように、起立させた状態に取り付けている。
【００２４】
また、開閉部１２は、前記板状体１２ａ、１２ｂの対向面に、閉塞用係止部１２ｃ、１２ｄを設け、磁石による吸着閉塞をしているが、たとえば、スナップ留め具などの嵌合閉塞や面ファスナーなどの係合閉塞であってもよい。さらには、がま口のように、対向する２つの突起片を交差係合させ、閉塞するものであってもよい。なお、板状体１２ａ、１２ｂは、収納部１１の素材に比べて硬質なものであれば、特に限定しないが、例えば、硬質のプラスチック、厚紙片などが好適である。また、板状体１２ａ、１２ｂは、収納部１１と同一素材によって表面全体を被着させてもよい。
【００２５】
さらに、本実施の形態では、収納部１１の前記コの字状縫着部分の終端を前記縁辺より下方側に止めることにより、スリット状の切れ目を形成するとともに、前記縫着部分の終端から前記縁辺に向かって収納部１１の短手方向の幅を狭めるテーパー状に形成している。このような構成にすることにより、デザイン的にシャープな形状を実現するとともに、開閉部１２の開放時に、眼鏡Ｇの出し入れ開口が広く形成され、出し入れをスムーズに行うことができる。
【００２６】
開閉部１２は、閉塞用係止部１２ｃ、１２ｄの吸着状態から、板状体１２ａ、１２ｂを反発方向に力を加えることにより、開放状態となる（図１参照）。このとき、前記スリット状の切れ目によって、板状体１２ｂ側の素材片１１ｂは、折返しの舌片を形成し、この舌片を外側方向に向かって折り返すことにより、開閉部１２は、切り欠き状に開放される。前記舌片の先端部と、折り返された当該先端部に対向する収納部１１の外側面（素材片１１ｂ）には開放用係止部１２ｅ、１２ｆが設けられ、図３（ｂ）で示す通り、開放用係止部１２ｅ、１２ｆによって、前記先端部を前記外側面に係止することができる。したがって、開放用係止部１２ｅ、１２ｆによって前記切り欠き状の開放状態を維持することができる。開放用係止部１２ｅ、１２ｆも、係止できるものであれば、特に限定するものではなく、閉塞用係止部１２ｃ、１２ｄ同様、磁石による吸着閉塞のほか、スナップ留め具などの嵌合閉塞、面ファスナーなどの係合閉塞など、のいずれであってもよい。
【００２７】
板状体１２ａ側の素材片１１ａには、クリップ状の掛止部１３が固設されている。すなわち、掛止部１３は、素材片１１ａの内側面で固設され、前記スリット状の切れ目から、板状体１２ａの前記起立方向と同一方向に向かって露出して延出した内片１３ａと、板状体１２ａの上辺よりも、高い位置で所定幅をもって逆Ｕ字状に折り返す折返し部１３ｂと、折返し部１３ｂから、素材片１１ａの外側方向で垂下に、内片１３ａと並列して延設された外片１３ｃとから構成されている。本実施の形態では、収納部１１の短手方向両端の前記スリット状の切れ目から各々同一の内片１３ａ、折返し部１３ｂ、外片１３ｃが形成され、図２の正面図からも明らかな通り、各外片１３ｃの下端側を双方Ｕ字状につないだ一体成形の帯材から成るクリップとしているが、この形状に限定する趣旨ではない。素材片１１ａ側に固着する内片と折り返す折返し部と折返し部から素材片１１ａの外側方向で垂下に内片と並列延設された外片とから構成されるものであれば、前記Ｕ字状につながずに２本で構成されたもの、あるいは、素材片１１ａの略中央で内片を固設させ、板状体１２ａの上辺よりも、高い位置で所定幅をもって折返し部で逆Ｕ字状に折り返し、素材片１１ａの外側方向で垂下に前記内片と並列して延設された外片とから構成された１本のクリップを形成するものであってもよい（いずれも図示せず）。
【００２８】
また、本実施の形態では、掛止部１３は、帯材で形成しているが、線材であってもよい。帯材又は線材からなる掛止部１３は、たとえばアクリル、ステンレス等の素材で付勢力を有してクリップ機能を有するもの（すなわち、板ばね等の弾性体）であればよい。
【００２９】
掛止部１３の内片１３ａの下端は、眼鏡Ｇを収納部１１に収納した場合に、眼鏡Ｇの開閉部１２側のヒンジ位置よりも下方の位置であって、ブリッジの位置よりも上方の位置となるように、位置決めして固着される（図２の点線で示す１３ａ）。なお、内片１３ａの固着方法は特に限定しないが、前記した通り、比較的硬質な材料で形成するものであることから、収納した眼鏡Ｇに接触して眼鏡Ｇを損傷しないようにするために、収納部１１を構成する同一素材等、柔軟な素材で縫着固定などして被包することが好ましい。
【００３０】
掛止部１３の折返し部１３ｂの前記所定幅は、後述するように、収容体の挿入口周縁部の厚み方向で挟持することを可能とする幅であればよい。ここで、収容体とは、例えば、バス、電車、飛行機等の乗物の前方シート背面に設けられたシートポケットなどを指す。
【００３１】
掛止部１３の外片１３ｃは、折返し部１３ｂから図３（ａ）（ｂ）で示す通り、側面視逆Ｕ字形状の開放端方向（すなわち、外片１３ｃの先端方向）に向かって素材片１１ａ側に傾斜するようにしてもよい。また、本実施の形態のように、前記外片１３ｃの先端部でＶ字状に折り返してもよく、さらには、前記Ｖ字状の折返し点で、素材片１１ａに当接させてもよい（図示せず）。このような構成にすることにより、前記収容体に掛止する際に、掛止部１３を前記挿入口周縁部の厚みと同程度に押し広げることになるが、当該周縁部が折返し部１３ｂに到達すると、前記付勢力により、前記収納体をより強固に挟持することができる。
【００３２】
なお、前記挟持力をさらに強化するためには、掛止部１３の素材に被磁着性を有するものを使用し、外片１３ｃが、前記当接する素材片１１ａに、マグネットシート１３ｄを装着させてもよい（図４参照）。なお、前記被磁着性を有する素材は、当該当接する箇所だけでもよく、また、マグネットシート１３ｄは、素材片１１ａの外側に露出しないように、同一素材等でマスキング、被覆等してもよい。
【００３３】
図５は、本発明に係る携帯用眼鏡ケース１を乗物用のシートＳの背面に設けられたシートポケットＰに掛止した状態を示した図である。以下、図５を使って携帯用眼鏡ケース１を掛止した場合の作用について説明する。
【００３４】
図５で明らかな通り、携帯用眼鏡ケース１は、掛止部１３がシートポケットＰの挿入口周縁を挟持し、収納部１１がシートポケットＰの外側に懸装された状態で掛止される。この場合、シートＳのリクライニングを倒して傾倒揺動させると、従来のソフトケースのように、収納部１１内に、前記した十分な長さの内片１３ａがなければ、眼鏡Ｇの自重により、折返し部１３ｂ近傍を支点としたモーメントが作用し、眼鏡Ｇを収納した収納部１１は、前記傾倒揺動に同期してシートＳの背面から揺動離間し、床面Ｆ方向に垂下する。
【００３５】
本発明に係る携帯用眼鏡ケース１は、前記の通り、内片１３ａの下端が、眼鏡Ｇを収納部１１に収納した場合に、眼鏡Ｇの開閉部１２側のヒンジ位置よりも下方の位置であって、ブリッジの位置よりも上方の位置となるように、位置決めして固着されているため、外片１３ｃ、折返し部１３ｂ及び内片１３ａ、さらには、眼鏡Ｇ本体で、収納部１１の連続した芯材として機能し、前記揺動離間を抑止する保持力を有する。すなわち、掛止部１３は、付勢力が収納部１１全体に及ぶように、前記モーメントに抗して収納部１１を支持する剛性を備えている。この場合、双方の内片１３ａを収納部１１の底部下端まで、あるいは、収納部１１の底部を介してコの字状に、収納部１１の内周全体に敷設しても同様の効果は得られるが、当該内片によって、ケース全体の形状が固定化され、ハードケースに近似する結果、ソフトケースの機能、すなわち、嵩張らないなどの携帯用ソフトケースのメリットが損なわれる。そこで、内片１３ａを上記の通りの長さで特定することにより、ソフトケースの特徴を維持しつつ、前記保持力を確保する携帯用眼鏡ケースを実現することができた。さらに、前記保持力をより強固にするためには、図４で説明した通り、シートマグネット１３ｄで収納部１１と掛止部１３とを磁着させればよい。
【００３６】
上記の通りの作用を奏するため、掛止された携帯用眼鏡ケース１は、たとえシートＳのリクライニングを作動させ、手前側に傾倒させも、収納部１１がシートポケットＰから離間することがないため、たとえば、他の乗客が自分のシートと携帯用眼鏡ケース１を掛止している前方のシートＳとの間を通る場合に、携帯用眼鏡ケース１が通り抜けの邪魔になるという不都合、あるいは、接触によって、シートポケットＰから脱落するというような不都合は生じない。
【００３７】
さらに、他の乗客の通り抜けの邪魔にならない、接触による脱落が生じないなどの効果を奏しつつ、一方で、収納部１１を外部に露出させた状態で掛止しているので、常に目に留まる状態であるため、降車時などに遺失するというような不都合も生じにくい。
【００３８】
また、開閉部１２は、前記掛止時、図３（ｂ）で示す通り、開放用係止部１２ｅ、１２ｆによって、前記切り欠き状の開放状態を維持することができるため、眼鏡Ｇの出し入れの際に、いちいち開閉部１２の開閉動作が不要であるうえ、前記舌片を係止するため、シートＳのリクライニングの作動によっても、舌片も床面Ｆに対して垂下することがない。また、シートＳのリクライニング時には、収納部１１がリクライニングによる傾斜と同一角で傾斜するため、シートＳの背面の傾斜に沿って開閉部１２から眼鏡Ｇを出し入れすることが可能になり、前記した通り、従来のソフトケースのように収納部１１が垂下した場合に開閉部１２の直上に傾斜したシートＳの背面が覆いかぶさり、眼鏡Ｇの出し入れを阻害するというような不都合も生じない。
【００３９】
以上、本実施の形態では、乗物のシートポケットに掛止した場合について説明したが、例えば、衣服のポケットに、収納部１１を外側に露出させて掛止した場合も、前傾姿勢となるときなどに収納部１１が揺動しないため、ポケットの内部に眼鏡ケースごと収納する場合に比べて、眼鏡Ｇの出し入れが簡便になると同時に、体の動きに反する動きをしせず、邪魔にならないという効果も奏する。
【００４０】
なお、眼鏡Ｇのテンプルを折り畳んだ状態の長手方向の長さは、眼鏡の種類によって異なる。そこで、前記内片の長さを自在に伸縮できるように、長さ調節手段を設けたものにしてもよい。このような構成にすることにより、携帯用眼鏡ケース１は、眼鏡Ｇの前記長さの如何に拘わらず、汎用的に使用できる。長さ調節手段は、長さ調節機構を備えたものであれば、特に限定しないが、例えば、内片を中空管状に形成し、当該内片に長さ調節用の内挿部材を挿入し、内挿部材が内片の内壁を摺動して部分的に内挿部材を露出させることにより、長さを調節し、所望の長さのところで、内片と内挿部材とを係止する係止部を有するものであればよい。
【符号の説明】
【００４１】
１            携帯用眼鏡ケース
１１            収納部
１１ａ、１１ｂ  素材片
１２            開閉部
１２ａ、１２ｂ  板状体
１２ｃ、１２ｄ  閉塞用係止部
１２ｅ、１２ｆ  開放用係止部
１３            掛止部
１３ａ          内片
１３ｂ          折返し部
１３ｃ          外片
１３ｄ          マグネットシート
Ｇ              眼鏡
Ｓ              シート
Ｐ              シートポケット
Ｆ              床面
【図１】
0006448993.tif 000002
【図２】
0006448993.tif 000003
【図３】
0006448993.tif 000004
【図４】
0006448993.tif 000005
【図５】
0006448993.tif 000006